(57)【要約】【課題】本発明は、模造品を防ぐことが可能なＡＣアダプタ、それに対応する電子機器及びそれらから構成される。【解決手段】ＡＣアダプタと電子機器とから構成される電源システムにおいて、ＡＣアダプタは、ＡＣアダプタを特定するデータを記憶したメモリと、電子機器からの信号を受信する受信手段と、受信手段によって受信された信号をメモリに記憶されたデータに基づいて処理する処理手段と、処理手段の処理結果を電子機器へ送信する送信手段とを有し、電子機器は、ＡＣアダプタにランダムな数を含む信号を送信する送信手段と、ランダムな数を演算処理する演算処理手段と、ランダムな数に関してＡＣアダプタが処理した信号を受信する受信手段と、受信手段で受信した信号と演算処理手段で演算処理された信号とを比較する比較手段とを有し、比較手段での比較結果に応じてＡＣアダプタを制御する。【選択図】図２
2007110853.tif 000002
【特許請求の範囲】
【請求項１】
交流から直流に変換するＡＣ／ＤＣ変換手段と、該ＡＣ／ＤＣ変換手段によって変換されたＤＣ電力を電子機器に供給する電力供給ラインとを有するＡＣアダプタにおいて、
当該ＡＣアダプタを特定するデータであるＡＣアダプタＩＤを記憶したメモリを有することを特徴とするＡＣアダプタ。
【請求項２】
前記電力供給ラインを複数の電位に切替えることにより前記電子機器へ信号を送信する送信手段を有することを特徴とする、請求項１記載のＡＣアダプタ。
【請求項３】
前記電力供給ラインに現れた複数の電位を検出することにより前記電子機器からの信号を受信する受信手段を有することを特徴とする、請求項１又は２記載のＡＣアダプタ。
【請求項４】
前記受信手段によって受信された信号を前記メモリに記憶されたＡＣアダプタＩＤに基づいて処理する処理手段を有し、
前記処理手段の処理結果を前記送信手段によって前記電子機器へ送信することを特徴とする、請求項３記載のＡＣアダプタ。
【請求項５】
前記電子機器へ供給する電力を制御する出力制御手段を有し、
前記受信手段によって受信された前記電子機器からの信号に基づいて前記出力制御手段を制御することを特徴とする、請求項３記載のＡＣアダプタ。
【請求項６】
電力供給ラインによってＡＣアダプタに接続された電子機器において、
前記ＡＣアダプタにランダムな数を含む信号を送信する送信手段と、
前記ランダムな数を演算処理する演算処理手段と、
前記ＡＣアダプタから送信された信号であって、前記ランダムな数に関して前記ＡＣアダプタが処理した信号を受信する受信手段と、
前記受信手段で受信された信号と前記演算処理手段で演算処理された信号とを比較する比較手段とを有し、
前記比較手段での比較結果に応じて前記ＡＣアダプタを制御するための信号を前記ＡＣアダプタへ送信することを特徴とする電子機器。
【請求項７】
前記送信手段は、前記電力供給ラインの回線をオン／オフ制御することによって前記ＡＣアダプタに信号を送信することを特徴とする、請求項６記載の電子機器。
【請求項８】
前記受信手段は、前記ＡＣアダプタにおいて複数の電位に切替えられた前記電力供給ラインの電圧を検出することにより前記ＡＣアダプタから信号を受信することを特徴とする、請求項６又は７記載の電子機器。
【請求項９】
前記電子機器は、充放電制御装置を有しており、
前記送信手段は、前記充放電制御装置の充電制御ＦＥＴをオン／オフ制御することによって前記ＡＣアダプタに信号を送信することを特徴とする、請求項６又は７記載の電子機器。
【請求項１０】
交流を直流に変換するＡＣアダプタと、該ＡＣアダプタによって変換されたＤＣ電力を電力供給ラインにより供給される電子機器とを有する電源システムにおいて、
前記ＡＣアダプタは、
当該ＡＣアダプタを特定するデータを記憶したメモリと、
前記電子機器からの信号を受信するＡＣアダプタ受信手段と、
前記ＡＣアダプタ受信手段によって受信された信号を前記メモリに記憶されたデータに基づいて処理する処理手段と、
前記処理手段の処理結果を前記電子機器へ送信するＡＣアダプタ送信手段とを有し、
前記電子機器は、
前記ＡＣアダプタにランダムな数を含む信号を送信する電子機器送信手段と、
前記ランダムな数を演算処理する演算処理手段と、
前記ＡＣアダプタから送信された信号であって、前記ランダムな数に関して前記ＡＣアダプタが処理した信号を受信する電子機器受信手段と、
前記電子機器受信手段で受信した信号と前記演算処理手段で演算処理された信号とを比較する比較手段とを有し、
前記比較手段での比較結果に応じて前記ＡＣアダプタを制御するための信号を前記ＡＣアダプタへ送信することを特徴とする電源システム。
【請求項１１】
前記ＡＣアダプタと前記電子機器との間の信号の送受信は、前記電力供給ライン又は専用の通信ラインを介して行われることを特徴とする、請求項１０記載の電源システム。
【発明の詳細な説明】
【技術分野】
【０００１】
本発明は、交流から直流に変換するＡＣ／ＤＣ変換手段と、該ＡＣ／ＤＣ変換手段によって変換されたＤＣ電力を電子機器に供給する電力供給ラインとを有するＡＣアダプタ、該ＡＣアダプタに接続された電子機器及び電源システムに関する。
【背景技術】
【０００２】
従来、商用の交流電源を直流電源に変換して、それを直流の定電源を要する電子機器に供給するＡＣアダプタが知られる。図１は、従来技術においてＡＣアダプタと電子機器とから成る電源システムを示す。ＡＣアダプタ１と電子機器２とは電力供給ライン３によって接続される。ＡＣアダプタ１は、交流を直流に変換するＡＣ／ＤＣ変換手段４を有する。電子機器２は、パワーマネージメント（ＰＭ）ＩＣ５と、スイッチトランジスタ６と、中央演算処理装置（ＣＰＵ）７と、電池８を有する。パワーマネージメントＩＣ５は、ＡＣアダプタ１から電池８への電力供給を制御する手段であり、スイッチトランジスタ６をオン／オフ制御することにより制御する。中央演算処理装置７は、電子機器２の全般的な動作を制御する役割を果たす。
【０００３】
近年では、ＡＣアダプタによって電源供給を受ける電子機器内の電池（例えば、リチウムイオン電池）及びＡＣアダプタの模造品が市場に多く出回り、安全性の点から問題となっており、ＡＣアダプタと電子機器との相互認証が提案されている。
【０００４】
例えば特開２０００−３３３３７６号公報（特許文献１を参照。）には、電子機器がＩＤ信号を有し、その電子機器に対応するＡＣアダプタが接続されたときにＡＣアダプタ側で電子機器のＩＤ信号を検出し、ＩＤ信号から対応する電子機器であることが認められると、ＡＣアダプタから電子機器に電源が供給される電源供給システムが開示されている。図２は、上記特許文献１に開示された電源供給システムである。
【０００５】
図２の電源システムは、電源部１１及びそれに結合された選定検出回路１２を有するＡＣアダプタ１０００と、入力段に電源スイッチＳＷ及び識別信号部ＩＤを設けられたセット（電子機器）２０００とから構成されている。
【特許文献１】特開２０００−３３３３７６号公報
【発明の開示】
【発明が解決しようとする課題】
【０００６】
しかし、特許文献１に記載された電源供給システムは、一見模造を防ぐことができるようではあるが、ＡＣアダプタの模造品を防ぐことができない場合が生じるという問題がある。つまり、電子機器側のＩＤ信号さえ分かれば、そのＩＤ信号に対応するＡＣアダプタの模造品を製造することが可能であるからである。
【０００７】
そこで、本発明は、このような問題に対して模造品を防ぐことが可能なＡＣアダプタ、それに対応する電子機器及びそれらから構成される電源システムを提供することを目的とする。
【課題を解決するための手段】
【０００８】
上記目的を達成するために、本発明のＡＣアダプタは、以下のような特徴を有する。
【０００９】
本発明のＡＣアダプタは、交流から直流に変換するＡＣ／ＤＣ変換手段と、該ＡＣ／ＤＣ変換手段によって変換されたＤＣ電力を電子機器に供給する電力供給ラインとを有するＡＣアダプタにおいて、当該ＡＣアダプタを特定するデータであるＡＣアダプタＩＤを記憶したメモリを有することを特徴とする。
【００１０】
これにより、電子機器本体でＡＣアダプタが正規品であることが認証でき、ＡＣアダプタの模造品を防ぐことができる。
【００１１】
更に、本発明のＡＣアダプタは、前記電力供給ラインを複数の電位に切替えることにより前記電子機器へ信号を送信する送信手段を有することを特徴とする。
【００１２】
このようにＡＣアダプタから電子機器への信号の送信を電力供給ラインによって行うことにより、別途通信専用のラインを設ける必要がなくなる。
【００１３】
更に、本発明のＡＣアダプタは、前記電力供給ラインに現れた複数の電位を検出することにより前記電子機器からの信号を受信する受信手段を更に有することを特徴とする。
【００１４】
このようにＡＣアダプタでの電気機器からの信号の受信を電力供給ラインによって行うことにより、別途通信専用のラインを設ける必要がなくなる。
【００１５】
更に、本発明のＡＣアダプタは、前記受信手段によって受信された信号を前記メモリに記憶されたＡＣアダプタＩＤに基づいて処理する処理手段を有し、前記処理手段の処理結果を前記送信手段によって前記電子機器へ送信することを特徴とする。
【００１６】
これにより、電子機器は、ＡＣアダプタが正規品であることを認証することができる。
【００１７】
更に、本発明のＡＣアダプタは、前記電子機器へ供給する電力を制御する出力制御手段を有し、前記受信手段によって受信された前記電子機器からの信号に基づいて前記出力制御手段を制御することを特徴とする。
【００１８】
このようにＡＣアダプタの出力制御を行うことにより、電子機器からの信号に基づいて電子機器への電力供給自体を制御することができる。
【００１９】
また、上記目的を達成するために、本発明の電子機器は、以下のような特徴を有する。
【００２０】
本発明の電子機器は、電力供給ラインによってＡＣアダプタに接続された電子機器において、前記ＡＣアダプタにランダムな数を含む信号を送信する送信手段と、前記ランダムな数を演算処理する演算処理手段と、前記ＡＣアダプタから送信された信号であって、前記ランダムな数に関して前記ＡＣアダプタが処理した信号を受信する受信手段と、前記受信手段で受信された信号と前記演算処理手段で演算処理された信号とを比較する比較手段とを有し、前記比較手段での比較結果に応じて前記ＡＣアダプタを制御するための信号を前記ＡＣアダプタへ送信することを特徴とする。
【００２１】
このように、電子機器は、ＡＣアダプタが正規品であることを認証することができる。
【００２２】
更に、本発明の電子機器は、前記送信手段が、前記電力供給ラインの回線をオン／オフ制御することによって前記ＡＣアダプタに信号を送信することを特徴とする。
【００２３】
このように電子機器からＡＣアダプタへの信号の送信を電力供給ラインによって行うことにより、別途通信専用のラインを設ける必要がなくなる。
【００２４】
更に、本発明の電子機器は、前記受信手段が、前記ＡＣアダプタにおいて複数の電位に切替えられた前記電力供給ラインの電圧を検出することにより前記ＡＣアダプタから信号を受信することを特徴とする。
【００２５】
このように電子機器でのＡＣアダプタからの信号の受信を電力供給ラインによって行うことにより、別途通信専用のラインを設ける必要がなくなる。
【００２６】
更に、本発明の電子機器は、充放電制御装置を有しており、前記送信手段が、前記充放電制御装置の充電制御ＦＥＴをオン／オフ制御することによって前記ＡＣアダプタに信号を送信することを特徴とする。
【００２７】
このように、電子機器が充放電制御装置を有する場合、充電制御ＦＥＴを用いることによりＡＣアダプタに信号を送信することができるので、新たに部品を必要とせずに本発明を実現することが可能となる。
【００２８】
また、上記目的を達成するために、本発明の電源システムは、交流を直流に変換するＡＣアダプタと、該ＡＣアダプタによって変換されたＤＣ電力を電力供給ラインにより供給される電子機器とを有する電源システムにおいて、前記ＡＣアダプタが、当該ＡＣアダプタを特定するデータを記憶したメモリと、前記電子機器からの信号を受信するＡＣアダプタ受信手段と、前記ＡＣアダプタ受信手段によって受信された信号を前記メモリに記憶されたデータに基づいて処理する処理手段と、前記処理手段の処理結果を前記電子機器へ送信するＡＣアダプタ送信手段とを有し、前記電子機器が、前記ＡＣアダプタにランダムな数を含む信号を送信する電子機器送信手段と、前記ランダムな数を演算処理する演算処理手段と、前記ＡＣアダプタから送信された信号であって、前記ランダムな数に関して前記ＡＣアダプタが処理した信号を受信する電子機器受信手段と、前記電子機器受信手段で受信した信号と前記演算処理手段で演算処理された信号とを比較する比較手段とを有し、前記比較手段での比較結果に応じて前記ＡＣアダプタを制御するための信号を前記ＡＣアダプタへ送信することを特徴とする。
【００２９】
更に、本発明の電源システムは、前記ＡＣアダプタと前記電子機器との間の信号の送受信が、前記電力供給ライン又は専用の通信ラインを介して行われることを特徴とする。
【発明の効果】
【００３０】
本発明のＡＣアダプタ、電子機器及びそれらから構成される電源システムにより、電子機器はＡＣアダプタが正規品であることを認証できるようになり、それによってＡＣアダプタの模造品を防ぐことが可能となる。
【発明を実施するための最良の形態】
【００３１】
本発明の実施例の形態を、図面を参照して説明する。
〔構成〕
図３の実施の形態は、本発明のＡＣアダプタ、電子機器及びそれらから構成される電源システムの基本構成図の一例を示す。図３において、ＡＣアダプタ１００及び電子機器２００は、電力供給ライン３００によって接続されている。
【００３２】
ＡＣアダプタ１００は、ＡＣ／ＤＣ変換手段１１０と、メモリ１２０と、受信手段１３０と、処理手段１４０と、送信手段１５０と、出力制御手段１６０とを有する。ＡＣ／ＤＣ変換手段１１０は、電力を交流から直流に変換する手段であり、変換されたＤＣ電力は、電力供給ライン３００によって電子機器２００に供給される。メモリ１２０は、ＡＣアダプタ１００を特定するデータであるＡＣアダプタＩＤを記憶する手段である。受信手段１３０は、電子機器２００からの信号を受信する手段であり、電力供給ライン３００に現れた複数の電位を検出することにより信号を受信できる。処理手段１４０は、受信手段１３０によって受信された信号をメモリ１２０に記憶されたＩＤに基づいて処理する手段である。送信手段１５０は、処理手段１４０の処理結果を電子機器２００に送信する手段であり、電力供給ラインを複数の電位に切替えることにより電子機器２００へ信号を送信することができる。出力制御手段１６０は、電子機器２００への電力供給を制御する手段であり、受信手段１３０によって受信された電子機器２００からの信号に基づいて制御される。
【００３３】
電子機器２００は、送信手段２１０と、演算処理手段２２０と、受信手段２３０と、比較手段２４０と、電池２５０とを有する。送信手段２１０は、ＡＣアダプタ１００から電池２５０への電力供給をオン／オフ制御することによってＡＣアダプタ１００にランダムな数を含む信号を送信する手段である。演算処理手段２２０は、送信手段２１０からＡＣアダプタ１００に送信された信号に含まれたランダムな数と同じランダムな数を演算処理する手段である。受信手段２３０は、ＡＣアダプタ１００からの信号を受信する手段であり、ＡＣアダプタ１００から送信された信号は、前に送信手段２１０によって送られた信号がＡＣアダプタ１００で処理された後の信号である。比較手段２４０は、受信手段２３０で受信した信号と演算処理手段２２０で演算処理された信号とを比較する手段である。更に、送信手段２１０は、比較手段２４０でのこの比較結果に応じてＡＣアダプタ１００を制御するための信号を送信する。
〔動作〕
図３の電源システムにおいて、ＡＣアダプタ１００が電子機器２００に電力供給ライン３００によって接続されたとき、最初に行われる通信動作について説明する。
【００３４】
ＡＣアダプタ１００が電子機器２００に接続されると、電子機器２００の送信手段２１０は、ランダムな数を含む信号をＡＣアダプタ１００に送信する。電子機器２００から送信された信号は、ＡＣアダプタ１００の受信手段１３０によって受信される。受信された信号に含まれるランダムな数は、処理手段１４０でメモリに記憶されたＩＤに基づいて演算される一方で、電子機器２００でも、ＡＣアダプタに送信した信号に含まれていたランダムな数と同じランダムな数を演算処理装置２２０でＡＣアダプタ１００と同じように演算する。次に、ＡＣアダプタ処理手段１４０による演算結果は、ＡＣアダプタ送信手段１５０によって電子機器２００に送信される。送信された演算結果は、電子機器２００の受信手段２３０で受信され、比較手段２４０で演算処理手段２２０の演算結果と比較される。ＡＣアダプタ１００での演算結果と電子機器２００での演算結果が一致する場合、電子機器２００は、接続されたＡＣアダプタが正規品であると認識する。この演算結果が一致しない場合、即ち接続されたＡＣアダプタが模造品である場合、電子機器２００は、その内部の制御回路によってＡＣアダプタ１００からの電力供給を遮断する。あるいは、電子機器２００は、電極供給を遮断する信号をその送信手段２１０によってＡＣアダプタ１００に送信し、ＡＣアダプタ１００側で出力制御手段１６０によって電力供給を遮断するようにしても良い。
【００３５】
電力供給ラインによるＡＣアダプタ１００と電子機器２００との間の信号の送受信の方法について、図４及び図５を参照して詳細に説明する。
【００３６】
図４は、ＡＣアダプタ１００から電子機器２００へ送信される信号を示す図である。縦軸はＡＣアダプタ１００から電子機器２００へ供給される電圧Ｖを示し、横軸は時間ｔを示す。電圧Ｖは、出力制御手段１６０によって５Ｖと６Ｖとで交互に切替えられている。電圧Ｖが５ＶであるときをＬＯＷ（Ｌ）、６ＶであるときをＨＩＧＨ（Ｈ）とすると、このＬとＨとの切替えにより０と１とで表わされる二進で表わされる信号を送信することができる。電子機器２００は、このような電圧変動を受信手段２３０で検出することによってＡＣアダプタ１００からの信号を受信する。
【００３７】
図５は、電子機器２００からＡＣアダプタ１００へ送信される信号を示す図である。図４と同様に、縦軸はＡＣアダプタ１００から電子機器２００へ供給される電圧Ｖを示し、横軸は時間ｔを示す。電圧Ｖは、電子機器２００の送信手段２１０によってＡＣアダプタ１００からの電力供給をオン／オフ制御することによって電池２５０のＶｏとＡＣアダプタの出力６Ｖとで交互に切替えられている。ＡＣアダプタ１００の出力電圧のレベルは、ＡＣアダプタ１００から電子機器２００への信号送信の場合には二段階で切替えられたが、この場合には６Ｖで一定である。電圧レベルＶｏは、電池２５０の電圧である。例えば、電池２５０がリチウムイオン電池である場合には、その電圧Ｖｏは３〜４．２Ｖである。電圧ＶがＶｏであるときをＬＯＷ（Ｌ）、６ＶであるときをＨＩＧＨ（Ｈ）とすると、このＬとＨとの切替えにより０と１とで表わされる二進で表わされる信号を送信することができる。ＡＣアダプタ１００は、このような電圧変動を受信手段１３０で検出することによって電子機器２００からの信号を受信する。
〔変形例〕
ＡＣアダプタが電子機器に接続されたときに最初に行われる通信動作による認証は、上述した動作の他に、ＡＣアダプタの有するＩＤを直接的に電子機器に送信し、電子機器が対応するＡＣアダプタであることを確認する、逆に電子機器から送信された信号をＡＣアダプタでＩＤと比較する等の動作によって成されても良い。
【００３８】
更に、ここでは、ＡＣアダプタが電子機器に接続されたときに最初に行われる通信動作のみを説明したが、ＡＣアダプタから電子機器に電力供給をしている最中に上述した動作によって相互に信号のやり取りをすることも可能である。
【００３９】
更に、ここでは、ＡＣアダプタと電子機器との間の認証のための通信のみを説明したが、電子機器からＡＣアダプタへの供給電圧の電位変更要求又は電池異常時の電力供給停止要求等のための通信を行うことも可能である。当然ながら、ＡＣアダプタから電子機器への同様の通信も行うことができる。
【００４０】
また、上述した本発明の電源システムは電力供給ラインのみで通信を行うので、ＡＣアダプタ及び電子機器は共に、それ自体に受信信号がないときに相手に信号を送信する。
【実施例】
【００４１】
図６は、本発明のＡＣアダプタ、充電制御回路を有する電子機器及びそれらから構成される電源システムの回路図の実施例を示す。
〔構成〕
図６において、ＡＣアダプタ１０及び電子機器２０は、電力供給ライン３０によって接続されている。
【００４２】
ＡＣアダプタ１０は、変圧器５１と、ＡＣ／ＤＣ変換器５２と、アダプタ制御ＩＣ５３と、アダプタＩＤ−ＩＣ５４とを有する。変圧器５１は、交流を所望の電圧に変換し、ＡＣ／ＤＣ変換器５２は、変圧器５１によって所望の電位に変換された交流を直流に変換する。アダプタ制御ＩＣ５３は、電子機器２０から送信される信号に応じてＡＣ／ＤＣ変換器５２で変換された直流電力の電子機器２０への供給を制御する手段であって、電圧検出手段５３１と、電圧切替え手段５３２と、出力電圧制御手段５３３とを有する。電圧検出手段５３１は、電力供給ライン３０の電圧変動を検出する手段であり、電池５８の出力電圧とほぼ等しい基準電圧Ｖｒｅｆ１（例えばリチウムイオン電池の場合には４．２Ｖ。）と電力供給ライン３０の電圧とを比較する。この手段は、図３の受信手段１３０に相当する。電圧切替え手段５３２は、スイッチＳＷｏによって出力電圧のレベルを５V又は６Vに切替える手段であり、図３の送信手段１５０に相当する。出力電圧制御手段５３３は、出力を制御する手段であり、電力供給ラインに挿入された出力制御ＦＥＴ５３４を有し、図３の出力制御手段１６０に相当する。出力制御ＦＥＴ５３４は、電子機器２０への出力を制御する手段である。アダプタＩＤ−ＩＣ５４は、ＡＣアダプタを特定するデータであるＡＣアダプタＩＤを有しており、このＩＤに基づいて電圧検出手段５３１で検出された信号を処理し、その処理結果に応じて出力電圧制御手段５３３を制御する回路であり、図３のメモリ１２０及び処理手段１４０に相当する。
【００４３】
電子機器２０は、充電制御ＩＣ５５と、本体ＩＤ−ＩＣ５６と、充電制御ＦＥＴ５７と、電池５８とを有する。充電制御ＩＣ５５は、電力供給ライン３０の電圧を検出して、電池５８への充電動作を制御する回路であり、電圧検出手段５５１と、過電流制御手段５５２と、過充電制御手段５５３と、ＦＥＴ制御手段５５４とを有する。電圧検出手段５５１は、電力供給ライン３０の電圧変動を検出する手段であり、ＡＣアダプタの出力電圧とほぼ等しい基準電圧Ｖｒｅｆ３（本実施例では６Ｖ。）と電力供給ライン３０の電圧とを比較する。この手段は、図３の受信手段２３０に相当する。過電流制御手段５５２は、充電時における電池５８の過電流状態を防ぐ手段であり、電池５８の陽極側に直列に接続された抵抗Ｒ１を流れる過電流を検出し、その検出結果に応じて充電制御ＦＥＴ５７をオン／オフ制御する。過充電制御手段５５３は、充電時における電池５８の過充電状態を防ぐ手段であり、直列に接続された二つの抵抗Ｒ２及びＲ３を電池５８に並列に接続し、これら抵抗による分圧を利用して電池５８の両端の電圧を検出し、その検出結果に応じて充電制御ＦＥＴ５７をオン／オフ制御する。ＦＥＴ制御手段５５４は、充電制御ＦＥＴ５７を制御して、電力供給ラインの電圧を制御する手段である。ＩＤ−ＩＣ５６は、対応するＡＣアダプタを特定するためのデータを有しており、このデータと電圧検出手段５５１で検出された信号とに基づいてＡＣアダプタを特定し、その結果に応じてＡＣアダプタ１０からの電力供給を制御する回路であり、図３の演算処理手段２２０及び比較手段２４０に相当する。充電制御ＦＥＴ５７は、電力供給ライン３０による電力供給をオン／オフ制御するスイッチであり、過電流制御手段５５２及び／又は過充電制御手段５５３で過電流又は過充電が検出されたとき、又はＩＤ−ＩＣ５６からＦＥＴ制御手段５５４を介して制御信号が送られてきたときに電力供給をオン／オフ制御するように作動する。ＦＥＴ制御手段５５４及び充電制御ＦＥＴ５７は、図３の送信手段２１０に相当する。
〔接続時の動作〕
ＡＣアダプタ１０と電子機器２０とを電力供給ライン３０によって接続したときの動作について説明する。
【００４４】
ＡＣアダプタ１０と電子機器２０とを接続すると、ＡＣアダプタ１０で交流から直流に変換された直流電力が出力される。初期状態で電圧切替え手段５３２のスイッチＳＷｏは６Ｖ側に切替えられており、出力制御ＦＥＴ５３４はオンとされている。従って、電子機器２０には６Ｖの電圧が供給される。電子機器２０の充電制御ＦＥＴ５７は、初期状態でオンとされており、この電圧６Ｖが電池５８に充電される。
【００４５】
次に、電子機器２０のＩＤ−ＩＣ５６はランダムな数を含む信号をＦＥＴ制御手段５５４に送り、この信号に応じてＦＥＴ制御手段５５４は充電制御ＦＥＴ５７をオン／オフ制御する。充電制御ＦＥＴのオン／オフ動作によって、電力供給ライン３０の電位は、電池５８の電圧ＶｏとＡＣアダプタ１０の出力電圧Ｖ（＝６Ｖ）との間で切替わる。ＡＣアダプタ１０の電圧検出手段５３１は、この電圧変動を検出し、その結果は電子機器２０からのランダムな数を含む送信信号としてＩＤ−ＩＣ５４に入力される。入力された信号は、ＩＤ−ＩＣ５４においてＡＣアダプタＩＤに基づいて処理される。ＩＤ−ＩＣ５４での処理結果に応じて出力された二進信号によって電圧切替え手段５３２のスイッチＳＷｏは切替えられる。出力電圧制御手段５３３は、ＳＷｏの切替えに対応してＡＣアダプタ１０の出力電圧が６Ｖと５Ｖとの間で交互に変わるように出力制御ＦＥＴをオン／オフ制御する。従って、ＩＤ−ＩＣ５４の処理結果は、ＡＣアダプタ１０の出力の変化により二進で表わされる信号として電子機器２０へ送信される。
【００４６】
ＡＣアダプタ１０の出力電圧の切替え動作について、更に詳細に説明する。ここで、ＡＣアダプタ１０が電圧６Ｖを出力しているときにスイッチＳＷｏが６Ｖ側に切替えられた場合及びスイッチＳＷｏが５Ｖ側に切替えられた場合、出力電圧制御手段５３３からは６Ｖ及び６Ｖが出力される。ＡＣアダプタ１０が電圧６Ｖを出力しているとき、スイッチＳＷｏは６Ｖ側に切替えられた場合、出力制御手段５３３にはその基準電圧Ｖｒｅｆ２と等しい電圧が電圧切替え手段５３２から入力される。このとき、出力制御ＦＥＴは常にオンしている。次に、スイッチＳＷｏが５Ｖ側に切替えられると、ＡＣアダプタ１０の出力電圧は依然として６Ｖのままであるから、電圧切替え手段５３２の出力電圧はＶｒｅｆ２よりも大きくなる。電圧切替え手段５３２の出力電圧がＶｒｅｆ２と等しくなるように、ＡＣアダプタ１０の出力は、出力制御ＦＥＴのオン／オフ制御によって調整されて、５Ｖとなる。このように、電圧切替え手段５３２のスイッチＳＷｏを切替えることによって、ＡＣアダプタ１０の出力を制御することができる。
【００４７】
上述したような動作が行われる一方で、電子機器２０は、ＡＣアダプタ１０に送信した信号に含まれたランダムな数と同じランダムな数をそのＩＤ−ＩＣ５６で演算処理する。この演算処理は、アダプタ１０のＩＤ−ＩＣ５４がＡＣアダプタＩＤに基づいて行う処理と同じである。
【００４８】
電子機器２０の電圧検出手段５５１は、電力供給ラインの５Ｖ／６Ｖの電圧変動を検出し、その結果はＡＣアダプタ１０からの送信信号としてＩＤ−ＩＣ５６に入力される。ＩＤ−ＩＣ５６は、ＡＣアダプタ１０からの送信信号と上述した演算処理の結果とを比較する。送信信号と演算処理の結果が一致する場合、電子機器２０は、接続されたＡＣアダプタが正規品であると認識する。しかし、これらが一致しない場合、即ち接続されたＡＣアダプタが模造品である場合、電子機器２０は、ＩＤ−ＩＣ５６よりＦＥＴ制御手段５５４に充電制御ＦＥＴをオフとするように信号を送信し、ＡＣアダプタ１０からの電力供給を遮断する。
【００４９】
以上より、一般に模造品は電子機器本体よりもＡＣアダプタの方が多いので、本発明によってＡＣアダプタ側にＩＤ信号を持たせることにより電子機器本体でＡＣアダプタが正規品であることが認証でき、模造品のＡＣアダプタによる電子機器の破壊等の問題は回避される。
〔変形例〕
本発明のＡＣアダプタに対応する電子機器は、そのＩＤ−ＩＣ５６の機能を図１のパワーマネージメントＩＣ５又は中央演算処理装置（ＣＰＵ）７のいずれかに内蔵しても良い。この場合、従来のＡＣアダプタとの通信機能を有さない電子機器に対してコストはほぼ等しい。
【００５０】
また、本発明の電源システムは、電力供給ラインによってＡＣアダプタと電子機器との相互の通信を行っていたが、別途通信用ラインを設けても良い。この場合、図６において、ＡＣアダプタ１０のＩＤ−ＩＣ５４と電子機器２０のＩＤ−ＩＣ５６とが直接的に接続されるので、ＡＣアダプタ１０の電圧検出手段５３１及び電圧切替え手段５３２並びに電子機器２０の電圧検出手段５５１は不要となる。
【００５１】
また、本発明の電源システムは、電力供給ラインの正側ラインによってＡＣアダプタと電子機器と間の通信を行っていたが、負側ライン（図においては接地ライン。）をオン／オフ制御するように構成されても良い。この場合も基本的に、上述したようにＡＣアダプタと電子機器は通信を行う。
【００５２】
また、本発明のＡＣアダプタに対応する電子機器は、図３及び６において電池を有していたが、電池を有していない電子機器であっても良い。電池を有する電子機器は、持ち運び可能なゲーム機器、携帯電話、ノートブック型ＰＣ、又はＰＤＡ等であり、それらの電池はリチウムイオン電池、ニッケル水素電池等の如何なる種類の電池であっても良い。
【図面の簡単な説明】
【００５３】
【図１】従来技術におけるＡＣアダプタと電子機器からなる電源システムの構成図である。
【図２】特開２０００−３３３３７６号に開示された電源システムの構成図である。
【図３】本発明のＡＣアダプタ、電子機器及びそれらから構成される電源システムの実施の形態の一例を示す。
【図４】ＡＣアダプタから電子機器へ送信される信号を示す。
【図５】電子機器からＡＣアダプタへ送信される信号を示す。
【図６】本発明のＡＣアダプタ、電子機器及びそれらから構成される電源システムの一実施例を示す。
【符号の説明】
【００５４】
１、１０、１００、１０００  ＡＣアダプタ
２、２０、２００、２０００  電子機器
３、３００、３０  電力供給ライン
４  ＡＣ／ＤＣ変換手段
５  パワーマネージメントＩＣ
６  スイッチトランジスタ
７  中央演算処理装置
８、２５０、５８  電池
１１  電源部
１２  選定検出回路
１１０、５２  ＡＣ／ＤＣ変換器
１２０  メモリ
１３０、２３０  受信手段
１４０  処理手段
１５０、２１０  送信手段
１６０  出力制御手段
２１１  回線制御手段
２２０  演算処理手段
２４０  比較手段
５１  変圧器
５３  アダプタ制御ＩＣ
５４、５６  ＩＤ−ＩＣ
５５  充電制御ＩＣ
５７  充電制御ＦＥＴ
５３１、５５１  電圧検出手段
５３２  電圧切替え手段
５３３  出力電圧制御手段
５３４  出力制御ＦＥＴ
５５２  過電流制御手段
５５３  過充電制御手段
５５４  ＦＥＴ制御手段
ＩＤ  識別信号部
ＳＷ  電源スイッチ
ＳＷｏ  スイッチ
Ｒ１、Ｒ２、Ｒ３  抵抗
Ｖｒｅｆ１、Ｖｒｅｆ２、Ｖｒｅｆ３  基準電圧
【図１】
2007110853.tif 000003
【図２】
2007110853.tif 000004
【図３】
2007110853.tif 000005
【図４】
2007110853.tif 000006
【図５】
2007110853.tif 000007
【図６】
2007110853.tif 000008